(57)【要約】【課題】先端チップ２を入力装置７に軽く押し当てるだけで、静電容量方式の入力装置７が入力反応を示すことができる入力ペンを提供する。【解決手段】先端チップ２が、ＪＩＳ−Ｋ６２５３：２００６により求めたゴム硬度が１０〜３０である導電性ゴムで構成され、先端チップの前方に半球状で厚みが０．３ｍｍ〜０．７５ｍｍであるドーム部２ａを形成し、入力ペン１の軸部材５が入力装置の操作部分７の入力面７ａに対して垂直な状態で先端チップに２０ｇｆの荷重を掛けられた際に、先端チップのドーム部が変形し且つ入力面に対して１６平方ミリメートル以上の略円形状の接触面積で接触する構成。【選択図】図２
2013125415.tif 000002
【特許請求の範囲】
【請求項１】
操作領域を入力ペンや指によって操作し、前記操作領域の操作部分の位置を静電容量方式で検出する入力装置に用いる入力ペンであって、前記入力ペンが軸部材の前部に先端チップを装着し、前記先端チップが、ＪＩＳ−Ｋ６２５３：２００６により求めたゴム硬度が１０〜３０である導電性ゴムで構成され、前記先端チップの前方に半球状で厚みが０．３ｍｍ〜０．７５ｍｍであるドーム部を形成し、前記入力ペンの軸部材が前記入力装置の操作部分の入力面に対して垂直な状態で前記先端チップに２０ｇｆの荷重を掛けられた際に、前記先端チップのドーム部が変形し且つ前記入力面に対して１６平方ミリメートル以上の略円形状の接触面積で接触する構成の入力ペン。
【請求項２】
前記入力ペンの重量を１０ｇ〜３０ｇで形成した請求項１に記載の入力ペン。
【請求項３】
前記入力ペンの重心の位置が全長の中心位置より先端側にある請求項２に記載の入力ペン。
【発明の詳細な説明】
【技術分野】
【０００１】
本発明は、操作領域を入力ペンの先端チップで触れることで、選択を行ったりカーソルの移動ができる静電容量方式の入力装置に用いられる入力ペンに関したものである。
【背景技術】
【０００２】
従来、特許文献１に記載されるように導電性ゴムで構成された先端チップを前部に設けた入力ペンが知られている。また最近では、特許文献２に記載されているように手で持って使用する薄形のタッチパネル形式の入力装置が市場で人気を得ており、指先で入力を行うだけでなく、筆記具のように軸部材を握って入力を行うことができる入力ペンの需要も高くなっている。
【０００３】
しかしながら、前記タッチパネル形式の入力装置の多くは、接触面積が１６平方ミリメートル以上で入力反応が示されるようになっており、指での使用においては問題が生じないものの、先端が小型で硬質の導電性ゴムで形成されている先端チップでは、簡単に触れただけでは接触面積が十分に得られないことから、入力反応を得るために入力ペンを入力装置に強く押し当てる必要があり、操作性に問題があった。
【先行技術文献】
【特許文献】
【０００４】
【特許文献１】特許第４１４２７７６号公報
【特許文献２】特開２０１１−８１８２５号公報
【発明の概要】
【発明が解決しようとする課題】
【０００５】
本発明は、前記従来の問題点を解決するものであって、先端チップを入力装置に軽く押し当てるだけで、静電容量方式の入力装置が入力反応を示すことができる入力ペンを提供しようとするものである。
【課題を解決するための手段】
【０００６】
「１．操作領域を入力ペンや指によって操作し、前記操作領域の操作部分の位置を静電容量方式で検出する入力装置に用いる入力ペンであって、前記入力ペンが軸部材の前部に先端チップを装着し、前記先端チップが、ＪＩＳ−Ｋ６２５３：２００６により求めたゴム硬度が１０〜３０である導電性ゴムで構成され、前記先端チップの前方に半球状で厚みが０．３ｍｍ〜０．７５ｍｍであるドーム部を形成し、前記入力ペンの軸部材が前記入力装置の操作部分の入力面に対して垂直な状態で前記先端チップに２０ｇｆの荷重を掛けられた際に、前記先端チップのドーム部が変形し且つ前記入力面に対して１６平方ミリメートル以上の略円形状の接触面積で接触する構成の入力ペン。
２．前記入力ペンの重量を１０ｇ〜３０ｇで形成した１項に記載の入力ペン。
３．前記入力ペンの重心の位置が全長の中心位置より先端側にある２項に記載の入力ペン。」である。
【発明の効果】
【０００７】
本発明の入力ペンによれば、先端チップを静電容量方式の入力装置に軽く押し当てるだけで入力を行うことができる。
【図面の簡単な説明】
【０００８】
【図１】図１は、本実施例の入力ペンを示す図である。
【図２】図２は、本実施例の入力ペンの要部を示す断面図である。
【図３】図３は、本実施例の使用時における先端チップの変形状態を示す図である。
【図４】図４は、入力ペンの軸部材を入力装置の操作部分に対して垂直な状態で２０ｇｆの荷重を掛けた状態における、先端チップと入力装置の操作部分との接触部を示す図である。
【発明を実施するための形態】
【０００９】
以下、図面を参照して本発明における入力ペンの実施例について説明を行う。尚、説明を分かり易くするために、図面中の同様の部材、同様の部分については同じ番号を付してある。本実施例の説明においては先端チップ側を前方と表現し、その反対側を後方と表現する。
【００１０】
以下、図１及び図２を用いて本実施例の入力ペンを説明する。入力ペン１は、前方に半球状のドーム部２ａを形成した先端チップ２を、該先端チップ２の後方に形成した円筒状のストレート部２ｂに中子３の前方小径部３ａを挿着させ、口金４に先端チップ２及び中子３を挿通させると共に、中子３の後方大径部３ｂに形成した凹部３ｃへ口金４の後方薄肉部４ａをカシメて形成したカシメ部４ｂにて固定し、先端チップ２の後部内側に形成した膨出部２ｃを中子３の前方外側に形成した膨出部３ｄに引っ掛けて抜け止めとしてある。
【００１１】
また、口金４に形成した雄螺子部４ｃを円筒形状の軸部材５の前方に形成した雌螺子部５ａに螺合させ、軸部材５の後方には樹脂製の尾栓６を挿着してある。本実施例では、先端チップ２がシリコンゴムに炭素粉末を混練した導電性シリコンゴムで形成してあり、中子３と口金４と軸部材５とが真鍮で形成してあることから、軸部材５を把持した手と先端チップ２の前方のドーム部２ａまで導通することができる。尚、先端チップ３は、ＪＩＳ−Ｋ６２５３：２００６により求めたゴム硬度を２０の導電性シリコンゴムで形成してあり、半球状のドーム部２ａの厚みを０．７５ｍｍで形成してある。
【００１２】
次に、図３及び図４を用いて本実施例の入力ペンで、
操作領域を入力ペンや指によって操作し、操作領域の操作部分の位置を静電容量方式で検出する入力装置に操作を行った状態について説明を行う。図３に示すように、入力ペン１の軸部材５が入力装置の操作部分７に対して垂直な状態で先端チップ２に２０ｇｆの荷重を掛けると、ゴム硬度が低いこと及びドーム部２ａの厚みが薄いことから先端チップ２が容易に変形し、図４に示すように直径Ｌが５．０ｍｍである円形状の接触面積Ｓ（１９．６平方ミリメートル）で、先端チップ２のドーム部２ａ（図２参照）が入力面７ａに接触した。
【００１３】
尚、本実施例では入力ペン１の重量を２０ｇで形成してあることから、入力時において入力ペン１に筆圧を掛けずとも、軸部材５を操作部分７に対して垂直にすることで先端チップ２には２０ｇｆの荷重が掛かり、入力装置が入力反応を示すのに十分な接触面積Ｓ（１９．６平方ミリメートル）で接触させることができた。さらに前述の通り入力ペン１は、前方に真鍮製の部品を多く装着してあることから、入力ペン１の重心の位置が全長の中心位置より先端側に存在し、安定した入力操作を行うことができた。
【産業上の利用可能性】
【００１４】
本発明の入力ペンは、少ない筆圧で入力を行いたい入力ペン構造に適している。
【符号の説明】
【００１５】
１…入力ペン、
２…先端チップ、２ａ…ドーム部、２ｂ…ストレート部、２ｃ…膨出部、
３…中子、３ａ…前方小径部、３ｂ…後方大径部、３ｃ…凹部、３ｄ…膨出部、
４…口金、４ａ…後方薄肉部、４ｂ…カシメ部、
５…軸部材、５ａ…雌螺子部、
６…尾栓、
７…操作部分、７ａ…入力面。
【図１】
2013125415.tif 000003
【図２】
2013125415.tif 000004
【図３】
2013125415.tif 000005
【図４】
2013125415.tif 000006